(57)【要約】【課題】本発明は、小型な構成で光ディスクの記録再生特性を安定化する。【解決手段】本発明は、ダイクロイックビームスプリッタプレート２８で反射された迷光ビームＬ１４を波長選択性ビームスプリッタ２６により反射させ、拡散光でなる迷光ビームＬ１５をフロントフォトディテクタ３０に照射するため、光ビームＬ１２Ｆと比して格段と光量の少ない迷光ビームＬ１５を照射することになり、フロントディテクタ３０に照射する光ビームＬ１２Ｆを適切に検出することができ、小型な構成で光ディスク１００Ｄに対する情報の再生記録特性を安定化することができる。【選択図】図３
2009259367.tif 000002
【特許請求の範囲】
【請求項１】
第１光ビームを出射する第１光源と、
上記第１光ビームとは異なる波長の第２光ビームを出射する第２光源と、
透過反射面を有し、上記透過反射面の一方から入射される上記第１光ビームを上記透過反射面によって所定の割合で透過又は反射することにより第１光ディスクへ導き、また上記透過反射面の他方から入射される上記第２光ビームを上記透過反射面によって所定の割合で反射又は透過することにより上記第１光ビームと同一の光路で第２光ディスクへ導く分光合成部と、
上記分光合成部により上記第１光ディスクへ導かれた上記第１光ビームの残りが上記透過反射面によって反射又は透過されてなる第１検出用光ビームの光量を検出し、また上記分光合成部により上記第２光ディスクへ導かれた上記第２光ビームの残りが上記透過反射面によって透過又は反射されてなる第２検出用光ビームの光量を検出する光量検出素子と、
上記第２光源と上記分光合成部との間に設けられ、上記第１光ディスクに反射された上記第１光ビームが上記分光合成部により迷光ビームとして上記第２光ビームと同一の光路で上記第２光源方向へ導かれた際、上記迷光ビームが上記第２光源へ到達する前に遮断する遮断部と
を有する光ピックアップ。
【請求項２】
上記光ピックアップは、
上記分光合成部と上記遮断部との間に設けられ、上記迷光ビームを平行光から収束光に変換するためのコリメータレンズと
を有し、
上記遮断部は、
上記第２光ビームを透過し、上記第１光ビームを反射する
請求項１に記載の光ピックアップ。
【請求項３】
上記遮断部は、
上記第２光ビームを透過し、上記第１光ビームを吸収する
請求項１に記載の光ピックアップ。
【請求項４】
上記光ピックアップは、
上記第１光源と、上記第１光源から出射される上記第１光ビームを拡散光から平行光に変換する第１コリメータレンズとの間に設けられ、上記第１光ビームを１／４波長変換する１／４波長偏光板と
を有する請求項２に記載の光ピックアップ。
【請求項５】
第１光ビームを出射する第１光源と、
上記第１光ビームとは異なる波長の第２光ビームを出射する第２光源と、
透過反射面を有し、上記透過反射面の一方から入射される上記第１光ビームを上記透過反射面によって所定の割合で透過又は反射することにより第１光ディスクへ導き、また上記透過反射面の他方から入射される上記第２光ビームを上記透過反射面によって所定の割合で反射又は透過することにより上記第１光ビームと同一の光路で第２光ディスクへ導く分光合成部と、
上記分光合成部により上記第１光ディスクへ導かれた上記第１光ビームの残りが上記透過反射面によって反射又は透過されてなる第１検出用光ビームの光量を検出し、また上記分光合成部により上記第２光ディスクへ導かれた上記第２光ビームの残りが上記透過反射面によって透過又は反射されてなる第２検出用光ビームの光量を検出する光量検出素子と、
上記第２光源と上記分光合成部との間に設けられ、上記第１光ディスクに反射された上記第１光ビームが上記分光合成部により迷光ビームとして上記第２光ビームと同一の光路で上記第２光源方向へ導かれた際、上記迷光ビームが上記第２光源へ到達する前に遮断する遮断部と
上記光量検出素子により検出された上記第１検出用光ビーム又は上記第２検出用光ビームの光量に応じて上記第１又は第２光源から出射される上記第１又は第２光ビームの光量を制御する信号処理部と
を有する光ディスク装置。
【発明の詳細な説明】
【技術分野】
【０００１】
本発明は、光ピックアップ及び光ディスク装置に関し、例えばＣＤ（Compact Disc）方式及びＤＶＤ（Digital Versatile Disc）方式でなる光ディスクに情報を記録し、また当該光ディスクから情報を再生する光ディスク装置に適用して好適なものである。
【背景技術】
【０００２】
従来、光ディスク装置においては、レーザダイオードから出射された光ビームの一部をフロントフォトディテクタにより検出し、当該検出された光ビームの光量に応じてレーザダイオードから出射させる光ビームが所望の光量となるように制御するものがある。
【０００３】
例えば図１に示すように、光ピックアップ１は、レーザダイオード２から出射された光ビームをビームスプリッタ３により所定の割合で反射させ、当該反射された光ビームを反射ミラー４を介して光ディスク１００に照射する。
【０００４】
そして光ピックアップ１は、光ディスク１００によって反射された反射光ビームを反射ミラー４を介してビームスプリッタ３により透過させてフォトディテクタ５に照射する。従って光ピックアップ１は、光ディスク１００によって反射された反射光ビームをフォトディテクタ５で検出することにより、情報の再生処理及び記録処理を行うようになされている。
【０００５】
一方、光ピックアップ１は、レーザダイオード２から出射された光ビームを、ビームスプリッタ３により所定の割合だけ透過させ、それをフロントフォトディテクタ６に照射する。光ピックアップ１は、フロントフォトディテクタ６により検出された光ビームの光量に応じてレーザダイオード２から出射させる光ビームを所望の光量となるように制御するようになされている。
【０００６】
ところで、このような光ピックアップ１では、光ディスク１００によって反射された反射光ビームをフォトディテクタ５に照射する際、当該フォトディテクタ５において反射光ビームが反射してしまう場合がある。この場合、光ピックアップ１では、フォトディテクタ５で反射された反射光ビームが迷光ビームとしてビームスプリッタ３により反射され、フロントフォトディテクタ６に照射してしまうことになる。
【０００７】
そこで光ピックアップのなかには、フォトディテクタを傾けることにより、迷光ビームがビームスプリッタで反射された場合でも、フロントフォトディテクタに照射しないようになされたものがある（例えば、引用文献１参照）。
【特許文献１】特表2005-501362公報
【発明の開示】
【発明が解決しようとする課題】
【０００８】
ところで上述した光ピックアップでは、異なる波長の光ビームを出射する２つのレーザダイオードが設けられ、例えばＣＤ方式及びＤＶＤ方式でなる光ディスクに情報を記録し、また当該光ディスクから情報を再生する場合に適応することが考えられる。
【０００９】
光ピックアップは、ＣＤ用及びＤＶＤ用に同一のフロントフォトディテクタを共用する場合、ＣＤ用のレーザダイオードから出射された波長約７８０［ｎｍ］でなる光ビームと、ＤＶＤ用のレーザダイオードから出射された波長約６６０［ｎｍ］でなる光ビームとを例えばダイクロイックビームスプリッタを用いて同一の光路から光ディスクに導く構成が考えられる。
【００１０】
この場合、光ピックアップは、例えばフォトディテクタに代えてＣＤ用又はＤＶＤ用のレーザダイオードが設けられ、ＣＤ用のレーザダイオードから出射された光ビームと、ＤＶＤ用のレーザダイオードから出射された光ビームとを同一の光路に導く。このような光ピックアップでは、ＣＤ用及びＤＶＤ用の光ビームを同一光路に導くため、ＣＤ用及びＤＶＤ用のレーザダイオードを傾けることができない。
【００１１】
従って光ピックアップでは、迷光ビームがフロントフォトディテクタに照射されてしまい、その結果、レーザダイオードから出射される光ビームが所望の光量と相異することになる。
【００１２】
これにより光ピックアップは、光ディスクに対して照射する光ビームを所望の光量に制御できず、そのため光ディスクの記録再生特性が安定しないという問題があった。
【００１３】
本発明は以上の点を考慮してなされたもので、小型な構成で光ディスクの記録再生特性を安定化し得る光ピックアップ及び光ディスク装置を提案しようとするものである。
【課題を解決するための手段】
【００１４】
かかる課題を解決するため本発明の光ピックアップにおいては、第１光ビームを出射する第１光源と、第１光ビームとは異なる波長の第２光ビームを出射する第２光源と、透過反射面を有し、透過反射面の一方から入射される第１光ビームを透過反射面によって所定の割合で透過又は反射することにより第１光ディスクへ導き、また透過反射面の他方から入射される第２光ビームを透過反射面によって所定の割合で反射又は透過することにより第１光ビームと同一の光路で第２光ディスクへ導く分光合成部と、分光合成部により第１光ディスクへ導かれた第１光ビームの残りが透過反射面によって反射又は透過されてなる第１検出用光ビームの光量を検出し、また分光合成部により第２光ディスクへ導かれた第２光ビームの残りが透過反射面によって透過又は反射されてなる第２検出用光ビームの光量を検出する光量検出素子と、第２光源と分光合成部との間に設けられ、第１光ディスクに反射された第１光ビームが分光合成部により迷光ビームとして第２光ビームと同一の光路で第２光源方向へ導かれた際、迷光ビームが第２光源へ到達する前に遮断する遮断部とを設けるようにした。
【００１５】
この光ピックアップは、遮断部により第２光源へ導かれる迷光ビームを遮断し、当該第２光源で反射された迷光ビームを光量検出素子に入射させないため、第１検出用光ビーム又は第２検出用光ビームを適切に検出することができ、光ディスクに照射する光ビームを所望の光量に調整することができる。
【００１６】
また本発明の光ディスク装置においては、第１光ビームを出射する第１光源と、第１光ビームとは異なる波長の第２光ビームを出射する第２光源と、透過反射面を有し、透過反射面の一方から入射される第１光ビームを透過反射面によって所定の割合で透過又は反射することにより第１光ディスクへ導き、また透過反射面の他方から入射される第２光ビームを透過反射面によって所定の割合で反射又は透過することにより第１光ビームと同一の光路で第２光ディスクへ導く分光合成部と、分光合成部により第１光ディスクへ導かれた第１光ビームの残りが透過反射面によって反射又は透過されてなる第１検出用光ビームの光量を検出し、また分光合成部により第２光ディスクへ導かれた第２光ビームの残りが透過反射面によって透過又は反射されてなる第２検出用光ビームの光量を検出する光量検出素子と、第２光源と分光合成部との間に設けられ、第１光ディスクに反射された第１光ビームが分光合成部により迷光ビームとして第２光ビームと同一の光路で第２光源方向へ導かれた際、迷光ビームが第２光源へ到達する前に遮断する遮断部と、光量検出素子により検出された第１検出用光ビーム又は第２検出用光ビームの光量に応じて第１又は第２光源から出射される第１又は第２光ビームの光量を制御する信号処理部とを設けるようにした。
【００１７】
この光ディスク装置は、遮断部により第２光源へ導かれる迷光ビームを遮断し、当該第２光源で反射された迷光ビームを光量検出素子に入射させないため、第１検出用光ビーム又は第２検出用光ビームを適切に検出することができ、光ディスクに照射する光ビームを所望の光量に調整することができる。
【発明の効果】
【００１８】
本発明によれば、遮断部により第２光源へ導かれる迷光ビームを遮断し、当該第２光源で反射された迷光ビームを光量検出素子に入射させないため、第１検出用光ビーム又は第２検出用光ビームを適切に検出することができ、光ディスクに照射する光ビームを所望の光量に調整することができ、かくして小型な構成で光ディスクの記録再生特性を安定化し得る光ピックアップ及び光ディスク装置を実現できる。
【発明を実施するための最良の形態】
【００１９】
以下に、図面について、本発明の一実施の形態を詳述する。
【００２０】
（１）光ディスク装置の全体構成
図２において、本発明による光ディスク装置１０は、制御部１１を中心に構成されており、光ディスク１００に対して情報を記録し、また当該光ディスク１００から情報を再生し得るようになされている。
【００２１】
制御部１１は、図示しないＣＰＵ（Central Processing Unit）と、各種プログラム等が格納されるＲＯＭ（Read Only Memory）と、当該ＣＰＵのワークメモリとして用いられるＲＡＭ（Random Access Memory）とによって構成されており、光ディスク装置１０を統括制御するようになされている。
【００２２】
すなわち制御部１１は、駆動部１２を介してスピンドルモータ１４を回転駆動させ、ターンテーブル（図示せず）に載置された光ディスク１００を所望の速度で回転させる。また制御部１１は、駆動部１２を介してスレッドモータ１５を駆動させることにより、移動軸Ｇ１及びＧ２に沿って光ピックアップ１６を光ディスク１００の内周側又は外周側へ向かう方向であるトラッキング方向に大きく移動させる。
【００２３】
さらに制御部１１は、駆動部１２を介して２軸アクチュエータ１７を駆動制御することにより対物レンズ１８を光ディスク１００に近接又は離隔させるフォーカス方向に移動させ、またトラッキング方向に細かく移動させる。
【００２４】
制御部１１は、このように対物レンズ１８の位置を制御した上で、光ピックアップ１６によって光ディスク１００に対し光ビームを照射し、その反射光を検出することにより、情報の再生処理及び記録処理を行うようになされている。
【００２５】
ところで光ディスク装置１０は、ＣＤ方式でなる光ディスク１００Ｃ及びＤＶＤ方式でなる光ディスク１００Ｄの両方に対応し得るようになされている。
【００２６】
このため制御部１１は、光ディスク１００が装填されると、まず当該光ディスク１００のＴＯＣ（Table of Contents）領域等から当該光ディスク１００の種別に関する情報を読み出す等のディスク判別処理を行うことにより、当該光ディスク１００がＣＤ方式でなる光ディスク１００Ｃ又はＤＶＤ方式でなる光ディスク１００Ｄのいずれであるかを判別するようになされている。
【００２７】
（２）光ピックアップの構成
図３に示すように、光ピックアップ１６は、光ディスク１００がＣＤ方式でなる光ディスク１００Ｃであった場合、受発光素子２１のレーザダイオード２２から波長約７８０［ｎｍ］でなる例えばＰ偏光の光ビームＬ１を出射させ、偏光ホログラム２４へ入射させる。
【００２８】
偏光ホログラム２４は、光ビームの偏光方向に応じて当該光ビームを回折させ、又は直進させる光学的性質を有しており、例えばレーザダイオード２２から出射されたＰ偏光でなる光ビームＬ１を直進させ、１／４波長偏光板２５へ入射させる。
【００２９】
１／４波長偏光板２５は、光ビームの偏光状態を直線偏光から円偏光へ、又は円偏光から直線偏光へ変換するようになされており、例えばＰ偏光でなる光ビームＬ１を左円偏光に変換し、これを波長選択性ビームスプリッタ２６へ入射させる。
【００３０】
波長選択性ビームスプリッタ２６は、波長約６６０［ｎｍ］でなる光ビームを反射し、波長約７８０［ｎｍ］でなる光ビームを透過する光学的性質を有している。従って波長選択性ビームスプリッタ２６は、１／４波長偏光板２５から入射された光ビームＬ１を透過してコリメータレンズ２７へ入射させる。
【００３１】
コリメータレンズ２７は、当該コリメータレンズ２７の焦点距離としてレーザダイオード２２との距離が決定され、波長選択性ビームスプリッタ２６から入射された光ビームＬ１を発散光から平行光に変換し、ダイクロイックビームスプリッタプレート２８へ入射させる。
【００３２】
ダイクロイックビームスプリッタプレート２８の透過反射面２８Ａは、波長約６６０［ｎｍ］でなる光ビームを例えば９０％の割合で透過し、また当該光ビームを１０％の割合で反射する光学的性質を有している。また透過反射面２８Ａは、波長約７８０［ｎｍ］でなる光ビームを例えば１０％の割合で透過し、また当該光ビームを９０％の割合で反射する光学的性質を有している。
【００３３】
従ってダイクロイックビームスプリッタプレート２８は、コリメータレンズ２７から入射された光ビームＬ１を透過反射面２８Ａにより９０％の割合で反射させ、例えば左円偏光でなる光ビームＬ１を右円偏光に変換し、光ビームＬ２Ａとして反射ミラー２９へ入射させる。
【００３４】
反射ミラー２９は、光ビームＬ２Ａを反射させ、例えば右円偏光でなる光ビームＬ２Ａを左円偏光に変換し、対物レンズ１８へ入射させる。
【００３５】
対物レンズ１８は、ＣＤ方式でなる光ディスク１００Ｃ、及びＤＶＤ方式でなる光ディスク１００Ｄに合わせた光学特性を有しており、光ビームＬ２Ａを集光し、当該光ディスク１００Ｃに照射する。
【００３６】
光ビームＬ２Ａは、光ディスク１００Ｃにおいて反射され、例えば左円偏光から右円偏光に変換された反射光ビームＬ３Ａとして光ビームＬ２Ａの光路を反対方向へ順次辿る。反射光ビームＬ３Ａは、対物レンズ１８により平行光に変換され、反射ミラー２９により例えば右円偏光から左円偏光に変換されて、ダイクロイックビームスプリッタプレート２８に入射される。
【００３７】
ダイクロイックビームスプリッタプレート２８は、反射ミラー２９により反射された反射光ビームＬ３Ａを透過反射面２８Ａにより９０％の割合で反射させ、このとき例えば左円偏光でなる反射光ビームＬ３Ａを右円偏光に変換する。
【００３８】
そしてダイクロイックビームスプリッタプレート２８は、右円偏光に変換された反射光ビームＬ３Ａを反射光ビームＬ４Ａとしてコリメータレンズ２７及び波長選択性ビームスプリッタ２６を介して１／４波長偏光板２５へ入射させる。
【００３９】
１／４波長偏光板２５は、コリメータレンズ２７及び波長選択性ビームスプリッタ２６を介して入射された光ビームＬ４Ａを例えば右円偏光からＳ偏光に変換し、受発光素子２１の偏光ホログラム２４へ入射させる。偏光ホログラム２４は、１／４波長偏光板２５から入射されたＳ偏光でなる反射光ビームＬ４Ａを回折させ、フォトディテクタ２３へ照射する。
【００４０】
フォトディテクタ２３は、複数の検出領域を有しており、各検出領域により反射光ビームＬ４Ａの光量をそれぞれ検出し、複数のＣＤ検出信号を生成して信号処理部１３（図２）へ供給する。
【００４１】
信号処理部１３は、供給された複数のＣＤ検出信号に対して所定の演算処理を施すことによりフォーカスエラー信号及びトラッキングエラー信号等を生成し、これらを駆動部１２へ供給することにより、フィードバック処理によるフォーカス制御及びトラッキング制御を行わせるようになされている。
【００４２】
また信号処理部１３は、供給されるＣＤ検出信号に対して所定の演算処理を施すことにより、記録されている情報を表すＣＤ再生ＲＦ信号を生成し、さらに所定の復調処理や復号化処理等を施すことによりＣＤ再生信号を生成して、当該ＣＤ再生信号を制御部１１へ供給する。これに応じて制御部１１は、供給されたＣＤ再生信号を図示しない外部機器へ供給する。
【００４３】
一方、ダイクロイックビームスプリッタプレート２８は、レーザダイオード２２から出射された光ビームＬ１を透過反射面２８Ａにより１０％の割合で透過させ、光ビームＬ２Ｆとしてフロントフォトディテクタ３０へ照射する。
【００４４】
フロントフォトディテクタ３０は、ダイクロイックビームスプリッタプレート２８から照射された光ビームＬ２Ｆの光量を検出し、当該検出した光量に応じた光量検出信号を生成して信号処理部１３へ供給する。
【００４５】
信号処理部１３は、供給される光量検出信号に対して所定の演算処理を施すことによりレーザ制御信号を生成し、当該レーザ制御信号を受発光素子２１のレーザダイオード２２へ供給することにより、レーザダイオード２２から出射させる光ビームＬ１を所望の光量となるように制御するようになされている。
【００４６】
従って光ピックアップ１６は、信号処理部１３から供給されるレーザ制御信号に基づいて、レーザダイオード２２により所望の光量の光ビームＬ１を出射することにより、光ディスク１００Ｃに照射する光ビームＬ２Ａを所望の光量に調整することができる。
【００４７】
次に、光ディスク１００がＤＶＤ方式でなる光ディスク１００Ｄであった場合について詳しく説明する。
【００４８】
光ピックアップ１６は、光ディスク１００がＤＶＤ方式でなる光ディスク１００Ｄであった場合、受発光素子３１のレーザダイオード３２から波長約６６０［ｎｍ］でなり例えばＰ偏光の光ビームＬ１１を出射させ、偏光ホログラム３４へ入射させる。
【００４９】
偏光ホログラム３４は、例えばレーザダイオード３２から出射されたＰ偏光でなる光ビームＬ１１を直進させ、１／４波長偏光板３５へ入射させる。１／４波長偏光板３５は、例えばＰ偏光でなる光ビームＬ１１を左円偏光に変換し、コリメータレンズ３６へ入射させる。
【００５０】
コリメータレンズ３６は、当該コリメータレンズ３６の焦点距離としてレーザダイオード３２との距離が決定され、１／４波長偏光板３５から入射された光ビームＬ１１を約６３％の割合で透過すると共に、発散光を平行光に変換してダイクロイックビームスプリッタプレート２８へ入射させる。
【００５１】
ダイクロイックビームスプリッタプレート２８は、コリメータレンズ３６から入射された光ビームＬ１１を透過反射面２８Ａにより９０％の割合で透過させ、光ビームＬ１２Ａとして反射ミラー２９へ入射させる。
【００５２】
反射ミラー２９は、ダイクロイックビームスプリッタプレート２８から入射された光ビームＬ１２Ａを反射し、左円偏光でなる当該光ビームＬ１２Ａを右円偏光に変換して対物レンズ１８へ入射させる。対物レンズ１８は、反射ミラー２９により反射された光ビームＬ１２Ａを例えば６４％の割合で透過させて集光し、光ディスク１００Ｄに照射する。
【００５３】
光ビームＬ１２Ａは、光ディスク１００Ｄにおいて最大で約８０％の割合で反射され、例えば右円偏光から左円偏光に変換された反射光ビームＬ１３Ａとして光ビームＬ１２Ａの光路を反対方向へ順次辿る。反射光ビームＬ１３Ａは、対物レンズ１８により平行光に変換され、反射ミラー２９により例えば左円偏光から右円偏光に変換されて、ダイクロイックビームスプリッタプレート２８に入射される。
【００５４】
ダイクロイックビームスプリッタプレート２８は、反射ミラー２９により反射された反射光ビームＬ１３Ａを透過反射面２８Ａにより９０％の割合で透過させ、コリメータレンズ３６を介して１／４波長偏光板３５へ入射させる。
【００５５】
１／４波長偏光板３５は、コリメータレンズ３６から入射された反射光ビームＬ１３Ａを例えば右円偏光からＳ偏光に変換し、受発光素子３１の偏光ホログラム３４へ入射させる。偏光ホログラム３４は、１／４波長偏光板３５から入射されたＳ偏光でなる光ビームＬ１３Ａを回折させ、フォトディテクタ３３へ入射させる。
【００５６】
フォトディテクタ３３は、偏光ホログラム３４により回折された光ビームＬ１３Ａの光量を検出し、当該検出した光量に応じたＤＶＤ再生検出信号を生成して信号処理部１３（図２）へ供給する。
【００５７】
信号処理部１３は、供給された複数のＤＶＤ再生検出信号に対して所定の演算処理を施すことによりフォーカスエラー信号及びトラッキングエラー信号等を生成し、これらを駆動部１２へ供給することにより、フィードバック処理によるフォーカス制御及びトラッキング制御を行わせるようになされている。
【００５８】
また信号処理部１３は、供給されるＤＶＤ再生検出信号に対して所定の演算処理を施すことにより、記録されている情報を表すＤＶＤ再生ＲＦ信号を生成し、さらに所定の復調処理や復号化処理等を施すことによりＤＶＤ再生信号を生成して、当該ＤＶＤ再生信号を制御部１１へ供給する。これに応じて制御部１１は、供給されたＤＶＤ再生信号を図示しない外部機器へ供給する。
【００５９】
一方、ダイクロイックビームスプリッタプレート２８は、レーザダイオード３２から出射された光ビームＬ１１を透過反射面２８Ａにより１０％の割合で反射し、光ビームＬ１２Ｆとしてフロントフォトディテクタ３０へ入射させる。
【００６０】
フロントフォトディテクタ３０は、ダイクロイックビームスプリッタプレート２８により反射された光ビームＬ１２Ｆの光量を検出し、当該検出した光量に応じた光量検出信号を生成して信号処理部１３へ供給する。
【００６１】
従って光ピックアップ１６では、レーザダイオード３２から出射された光ビームＬ１１がコリメータレンズ３６により６３％の割合で透過され、当該コリメータレンズ３６を透過した光ビームＬ１１がダイクロイックビームスプリッタプレート２８により１０％の割合で反射される。このためフロントフォトディテクタ３０は、レーザダイオード３２から出射された光ビームＬ１１の全光量に対して約６．３％の割合の光量を検出することになる。
【００６２】
信号処理部１３は、供給される光量検出信号に対して所定の演算処理を施すことにより
レーザ制御信号を生成し、当該レーザ制御信号を受発光素子３１のレーザダイオード３２へ供給することにより、レーザダイオード３２から出射させる光ビームＬ１１を所望の光量となるように制御するようになされている。
【００６３】
これにより光ピックアップ１６は、信号処理部１３から供給されるレーザ制御信号に基づいて、レーザダイオード３２によって所望の光量の光ビームＬ１１を出射させることにより、光ディスク１００Ｄへ照射する光ビームＬ１２Ａを所望の光量に調整することができる。
【００６４】
ところで光ピックアップ１６は、光ディスク１００Ｄにより反射された反射光ビームＬ１３Ａがダイクロイックビームスプリッタプレート２８に入射する際、当該ダイクロイックビームスプリッタプレート２８により反射光ビームＬ１３Ａを１０％の割合で反射させ、レーザダイオード２２が設けられた方向へ導くことになる。
【００６５】
すなわち光ピックアップ１６は、ダイクロイックビームスプリッタプレート２８の透過反射面２８Ａにより反射光ビームＬ１３Ａを１０％の割合で反射させ、迷光ビームＬ１４としてコリメータレンズ２７へ入射させる。
【００６６】
ここで図３との対応部分に同一符号を付した図４に示すように、光ピックアップ１６から波長選択性ビームスプリッタ２６を省略した光ピックアップ６６について検討する。
【００６７】
光ピックアップ６６では、波長選択性ビームスプリッタ２６が設けられていないので、ダイクロイックビームスプリッタプレート２８の透過反射面２８Ａにより反射された迷光ビームＬ１４がコリメータレンズ２７、１／４波長偏光板２５及び偏光ホログラム２４を介してレーザダイオード２２へ入射する。
【００６８】
迷光ビームＬ１４は、レーザダイオード２２の端面で例えば約９０％の割合で反射され、偏光ホログラム２４、１／４波長偏光板２５、及びコリメータレンズ２７を介してダイクロイックビームスプリッタプレート２８に入射する。
【００６９】
そしてダイクロイックビームスプリッタプレート２８は、レーザダイオード２２の端面で反射された迷光ビームＬ１４を透過反射面２８Ａにより９０％の割合で透過させ、フロントフォトディテクタ３０に入射させる。
【００７０】
従ってフロントフォトディテクタ３０は、波長選択性ビームスプリッタ２６が設けられていない場合、レーザダイオード２２から出射された光ビームＬ１１の全光量に対して約２．４％の割合で、迷光ビームＬ１４を検出することになる。
【００７１】
これにより光ピックアップ６６では、フロントフォトディテクタ３０に対して照射すべき光ビームＬ１２Ｆに加えて、レーザダイオード２２の端面により反射された迷光ビームＬ１４を当該フロントフォトディテクタ３０に照射してしまうことになる。
【００７２】
すなわち光ピックアップ６６は、レーザダイオード３２から出射される光ビームＬ１１の全光量に対して６．３％の割合である光ビームＬ１２Ｆと、２．４％の割合である迷光ビームＬ１４とがフロントフォトディテクタ３０に照射され、当該照射された光量に基づいてレーザダイオード３２により出射させる光ビームＬ１１の光量が制御される。
【００７３】
このため光ピックアップ６６では、光ディスク１００Ｄに本来照射すべき光ビームＬ１２Ａと相異してしまい、光ディスク１００Ｄに対する情報の記録再生特性を安定化することができなくなる可能性があった。
【００７４】
これに対して、本願発明の光ピックアップ１６（図３）では、１／４波長偏光板２５とコリメータレンズ２７との間に波長選択性ビームスプリッタ２６が設けられている。この波長選択性ビームスプリッタ２６は、その光学的性質により、ダイクロイックビームスプリッタプレート２８の透過反射面２８Ａにより反射された迷光ビームＬ１４を迷光ビームＬ１５として反射する。
【００７５】
このとき光ピックアップ１６では、ダイクロイックビームスプリッタプレート２８の透過反射面２８Ａにより反射された迷光ビームＬ１４をコリメータレンズ２７により平行光から収束光に変換した後、波長選択性ビームスプリッタ２６により反射させる。そのため、光ピックアップ１６では、波長選択性ビームスプリッタ２６により反射された迷光ビームＬ１５を収束させながらコリメータレンズ２７へ導く。
【００７６】
コリメータレンズ２７は、波長選択性ビームスプリッタ２６により反射された迷光ビームＬ１５を更に収束させ、ダイクロイックビームスプリッタプレート２８へ入射させる。ダイクロイックビームスプリッタプレート２８は、コリメータレンズ２７から入射された迷光ビームＬ１５を透過反射面２８Ａにより９０％の割合で透過させ、フロントフォトディテクタ３０へ入射させる。
【００７７】
従って光ピックアップ１６では、コリメータレンズ２７からフロントフォトディテクタ３０までの距離が、当該コリメータレンズ２７によって更に収束された迷光ビームＬ１５の焦点までの距離よりも十分に長いため、平行光である迷光ビームＬ１４と比して格段に直径が大きい拡散光である迷光ビームＬ１５をフロントフォトディテクタ３０へ照射する。
【００７８】
これにより光ピックアップ１６では、フロントフォトディテクタ３０へ照射する迷光ビームＬ１５の光量を、波長選択性ビームスプリッタ２６を設けない場合に当該フロントフォトディテクタ３０へ照射する迷光ビームＬ１４の光量と比較して、格段に減少させることができる。
【００７９】
因みに光ピックアップ１６では、光ディスク１００がＣＤ方式でなる光ディスク１００Ｃであった場合、レーザダイオード２２から出射される光ビームＬ１が所望の光量からずれたときでも、ＤＶＤ方式でなる光ディスク１００Ｄであった場合と比較して、光ディスク１００Ｃに対する情報の再生処理及び記録処理に影響を受けることが少ない。
【００８０】
そのため光ピックアップ１６では、光ディスク１００Ｃで反射された反射光ビームＬ３Ａがダイクロイックビームスプリッタプレート２８により透過され迷光ビームとしてレーザダイオード３２へ入射される場合でも、フロントフォトディテクタ３０に入射する迷光ビームの光量を減少させるための波長選択性ビームスプリッタが設けられていない。
【００８１】
（３）動作及び効果
以上の構成において、光ディスク装置１０は、制御部１１により光ディスク１００の種別を判別し、その結果がＣＤ方式でなる光ディスク１００Ｃであった場合、光ピックアップ１６のレーザダイオード２２から光ビームＬ１を出射させ、ダイクロイックビームスプリッタプレート２８へ入射させる。
【００８２】
ダイクロイックビームスプリッタプレート２８は、光ビームＬ１を透過反射面２８Ａによって例えば９０％の割合で反射させることにより、反射ミラー２９及び対物レンズ１８を介して光ビームＬ２Ａとして光ディスク１００Ｃに照射する。またダイクロイックビームスプリッタプレート２８は、光ビームＬ１を透過反射面２８Ａによって例えば１０％の割合で透過させることにより、光ビームＬ２Ｆとしてフロントフォトディテクタ３０に照射する。
【００８３】
一方、光ディスク装置１０は、制御部１１により光ディスク１００の種別を判別し、その結果がＤＶＤ方式でなる光ディスク１００Ｄであった場合、光ピックアップ１６のレーザダイオード３２から光ビームＬ１１を出射させ、ダイクロイックビームスプリッタプレート２８へ入射させる。
【００８４】
ダイクロイックビームスプリッタプレート２８は、光ビームＬ１１を透過反射面２８Ａによって例えば９０％の割合で透過させることにより、反射ミラー２９及び対物レンズ１８を介して光ビームＬ１２Ａとして光ディスク１００Ｄに照射する。またダイクロイックビームスプリッタプレート２８は、光ビームＬ１１を透過反射面２８Ａによって例えば１０％の割合で反射することにより、光ビームＬ１２Ｆとしてフロントフォトディテクタ３０に照射する。
【００８５】
そして光ピックアップ１６は、光ディスク１００Ｄにより反射した光ビームＬ１２Ａを反射光ビームＬ１３Ａとしてダイクロイックビームスプリッタプレート２８に入射させる。ダイクロイックビームスプリッタプレート２８は、反射光ビームＬ１３Ａを透過反射面２８Ａにより例えば１０％の割合で反射させ、コリメータレンズ２７により収束光に変換された迷光ビームＬ１４として波長選択性ビームスプリッタ２６へ入射させる。
【００８６】
波長選択性ビームスプリッタ２６は、波長約７８０［ｎｍ］でなる光ビームＬ１及び反射光ビームＬ４Ａを透過し、また波長約６６０［ｎｍ］でなる迷光ビームＬ１４を反射し、拡散光の迷光ビームＬ１５として、フロントフォトディテクタ３０に照射する。
【００８７】
このとき光ピックアップ１６では、拡散した迷光ビームＬ１５のうち、一部のみがフロントフォトディテクタ３０に入射することになる。そのため光ピックアップ１６では、光ピックアップ６６（図４）と比較して、フロントフォトディテクタ３０に入射される迷光ビームを格段に削減することができる。
【００８８】
従って光ピックアップ１６は、光ビームＬ１２Ｆに対して格段に少ない光量の迷光ビームＬ１５をフロントフォトディテクタ３０に照射するので、当該フロントフォトディテクタ３０に照射される光ビームの光量を適切に検出することができる。これにより光ピックアップ１６は、ほぼ光ビームＬ１２Ｆに基づいて光量検出信号を生成することができ、レーザダイオード３２から出射する光ビームＬ１１を所望の光量に調整することができる。
【００８９】
そのため光ピックアップ１６は、レーザダイオード３２から出射する光ビームＬ１１を所望の光量に調整することにより、光ディスク１００Ｄに照射する光ビームＬ１２Ａも所望の光量に調整することができ、かくして光ディスク１００Ｄに対する情報の再生記録特性を安定化することができる。
【００９０】
また光ピックアップ１６は、レーザダイオード２２及び３２を傾ける必要がないため、ダイクロイックビームスプリッタプレート２８の透過反射面２８Ａにより反射又は透過された光ビームＬ２Ａ及びＬ１２Ａを同一光路から光ディスク１００Ｃ及び１００Ｄへ照射することができる。
【００９１】
さらに波長選択性ビームスプリッタ２６は、ＣＤ用の光ビームＬ１及び反射光ビームＬ４Ａを透過するので、当該光ビームＬ１及び反射光ビームＬ４Ａに作用することがないため、光ディスク１００Ｃに対する情報の再生記録特性を悪化させることがない。
【００９２】
ところで光ピックアップでは、光ピックアップ１６とは異なり、ＣＤ用及びＤＶＤ用に別々のフロントフォトディテクタを用いる構成が考えられる。例えば図５に示すように、光ピックアップ４０は、光ディスク１００がＣＤ方式でなる光ディスク１００Ｃであった場合、レーザダイオード４１から波長約７８０［ｎｍ］でなる光ビームＬ２１を出射させ、コリメータレンズ４２を介してビームスプリッタ４３へ入射させる。
【００９３】
ビームスプリッタ４３は、光ビームＬ２１を所定の割合で光ビームＬ２２Ａ及びＬ２２Ｆに分光し、当該光ビームＬ２２Ａを透過してダイクロイックビームスプリッタ４４へ入射させると共に、光ビームＬ２２Ｆを反射してフロントフォトディテクタ４７へ入射させる。
【００９４】
ダイクロイックビームスプリッタ４４は、波長約７８０［ｎｍ］でなる光ビームを反射し、また波長約６６０［ｎｍ］でなる光ビームを透過する光学的性質を有しており、ビームスプリッタ４３から入射された光ビームＬ２２Ａを反射し、反射ミラー４５及び対物レンズ４６を介して光ディスク１００Ｃに当該光ビームＬ２２Ａを照射する。
【００９５】
一方、光ピックアップ４０は、光ディスク１００がＤＶＤ方式でなる光ディスク１００Ｄであった場合、レーザダイオード５１から波長約６６０［ｎｍ］でなる光ビームＬ３１を出射させ、コリメータレンズ５２を介してビームスプリッタ５３へ入射させる。
【００９６】
ビームスプリッタ５３は、光ビームＬ３１を光ビームＬ３２Ａ及びＬ３２Ｆへ分光し、当該光ビームＬ３２Ａを透過してダイクロイックビームスプリッタ４４へ入射させると共に、光ビームＬ３２Ｆを反射してフロントフォトディテクタ５４へ入射させる。
【００９７】
ダイクロイックビームスプリッタ４４は、その光学的性質により、ビームスプリッタ５３から入射された光ビームＬ３２Ａを透過し、反射ミラー４５及び対物レンズ４６を介して光ディスク１００Ｄに当該光ビームＬ３２Ａを照射する。
【００９８】
このように光ピックアップ４０は、光ビームＬ２１及びＬ３１をそれぞれ分光するためのビームスプリッタ４２及び５３と、光ビームＬ２２Ａ及びＬ３２Ａを同一光路に導くためのダイクロイックビームスプリッタ４４と、光ビームＬ２２Ｆ及びＬ３２Ｆの光量をそれぞれを検出するためのフロントフォトディテクタ４７及び５４とを設けている。
【００９９】
このため、光ピックアップ４０は、レーザダイオードの端面で反射される迷光ビームを発生させずに済む一方、部品点数が多くなり、大型化してしまう問題が生じ得る。
【０１００】
これに対して、本願発明の光ピックアップ１６は、ダイクロイックビームスプリッタプレート２８の透過反射面２８Ａにより光ビームＬ１及びＬ１１をそれぞれ分光し、また光ビームＬ２Ａ及びＬ１２Ａを同一光路に導く。そして光ピックアップ１６は、フロントフォトディテクタ３０により光ビームＬ２Ｆ及びＬ１２Ｆの光量を検出するようにした。
【０１０１】
これにより光ピックアップ１６は、光ピックアップ４０と比して部品点数を少なくし得、小型化することができる。
【０１０２】
また光ピックアップ１６は、コリメータレンズ３６の焦点距離として設けられたレーザダイオード３２とコリメータレンズ３６との間に１／４波長偏光板３５を設けたことにより、当該１／４波長偏光板３５を設ける空間をわざわざ設けなくて良い分、小型化することができる。
【０１０３】
さらに光ピックアップ１６は、レーザダイオード３２とコリメータレンズ３６との間に１／４波長偏光板３５を設けたことにより、反射ミラー２９と対物レンズ１８との間に設けた場合と比して、当該光ピックアップ１６を薄型化することができる。
【０１０４】
以上の構成によれば、光ピックアップ１６は、ダイクロイックビームスプリッタプレート２８で反射された迷光ビームＬ１４を波長選択性ビームスプリッタ２６により反射させ、拡散光でなる迷光ビームＬ１５をフロントフォトディテクタ３０に照射する。このため光ピックアップ１６は、光ビームＬ１２Ｆと比して格段と光量の少ない迷光ビームＬ１５を照射することになるため、フロントディテクタ３０に照射する光ビームＬ１２Ｆに対する光量の誤差を抑制することができ、小型な構成で光ディスク１００Ｄに対する情報の再生記録特性を安定化することができる。
【０１０５】
（４）他の実施の形態
なお上述した実施の形態においては、波長約７８０［ｎｍ］でなる光ビームを透過し、波長約６６０［ｎｍ］でなる光ビームを反射する光学的性質を有する波長選択性ビームスプリッタ２６を設けるようにした場合について述べた。しかしながら本発明はこれに限らず、波長選択性ビームスプリッタ２６に代えて、波長約７８０［ｎｍ］でなる光ビームを透過し、波長約６６０［ｎｍ］でなる光ビームを吸収する光学的性質を有する波長選択性ビームスプリッタを設けるようにしても良い。
【０１０６】
この場合、光ピックアップ１６は、ダイクロイックビームスプリッタプレート２８により反射された迷光ビームＬ１４を波長選択性ビームスプリッタにより吸収するため、フロントフォトディテクタ３０に迷光ビームＬ１４を照射せずに済み、当該フロントフォトディテクタ３０に照射される光ビームＬ１２Ｆだけを検出することができる。
【０１０７】
また上述した実施の形態においては、１／４波長偏光板３５とコリメータレンズ３６との間に何も設けないようにした場合について述べた。しかしながら本発明はこれに限らず、例えば図３との対応部分に同一符号を付した図６に示すように、１／４波長偏光板３５とコリメータレンズ３６との間に、波長約６６０［ｎｍ］でなる光ビームを透過し、波長約７８０［ｎｍ］でなる光ビームを反射する波長選択性ビームスプリッタ７７を設けるようにしても良い。
【０１０８】
この場合、光ピックアップ７６では、光ディスク１００Ｃにより反射された反射光ビームＬ３Ａをダイクロイックビームスプリッタプレート２８により迷光ビームＬ１６として透過させ、コリメータレンズ３６により当該迷光ビームＬ１６を平行光から収束光に変換させて波長選択性ビームスプリッタ７６へ入射させる。
【０１０９】
そして光ピックアップ７６は、収束光でなる迷光ビームＬ１６を波長選択性ビームスプリッタ７７により反射させ、コリメータレンズ３６により更に収束させてダイクロイックビームスプリッタプレート２８へ入射させる。
【０１１０】
ダイクロイックビームスプリッタプレート２８は、透過反射面２８Ａにより迷光ビームＬ１６を９０％の割合で反射させ、フロントフォトディテクタ３０に拡散光として入射させる。
【０１１１】
これにより光ピックアップ７６は、光ビームＬ２Ｆと比して格段と光量の少ない迷光ビームＬ１６をフロントフォトディテクタ３０に照射することになるため、当該フロントフォトディテクタ３０に照射する光ビームＬ２Ｆを適切に検出することができ、小型な構成で光ディスク１００Ｃに対する情報の再生記録特性を安定化することができる。
【０１１２】
さらに上述した実施の形態においては、波長選択性ビームスプリッタ２６を迷光ビームＬ１４に対して垂直に設けるようにした場合について述べたが、本発明はこれに限らず、波長選択性ビームスプリッタ２６を迷光ビームＬ１４に対する垂直方向から傾けて設けるようにしても良い。
【０１１３】
これにより光ピックアップ１６は、波長選択性ビームスプリッタ２６により反射された迷光ビームＬ１５をフロントフォトディテクタ３０に照射する際、迷光ビームＬ１５の強度分布が強い中心部分を当該フロントフォトディテクタ３０から外すことができ、フロントフォトディテクタ３０に照射する迷光ビームＬ１５の光量を減らすことができる。
【０１１４】
さらに上述した実施の形態においては、１／４波長偏光板２５とコリメータレンズ２７との間に波長選択性ビームスプリッタ２６を設けるようにした場合について述べたが、本発明はこれに限らず、受発光素子２１と１／４波長偏光板２５との間に波長選択性ビームスプリッタ２６を設けるようにしても良い。
【０１１５】
さらに上述した実施の形態においては、受発光素子３１とコリメータレンズ３６との間に１／４波長偏光板３５を設けるようにした場合について述べたが、本発明はこれに限らず、コリメータレンズ３６とダイクロイックビームスプリッタプレート２８との間に１／４波長偏光板３５を設けるようにしても良い。
【０１１６】
さらに上述した実施の形態においては、光ディスク１００の種別がＣＤ方式でなる光ディスク１００Ｃ又はＤＶＤ方式でなる光ディスク１００Ｄのいずれであるかにより、波長約７８０［ｎｍ］でなる光ビームＬ１又は波長約６６０［ｎｍ］でなる光ビームＬ１１を出射するようにした場合について述べた。しかしながら本発明はこれに限らず、いずれか一方と波長約４０５［ｎｍ］のＢＤ（Blu-Ray Disc、登録商標）方式との組み合わせ等、異なる波長を用いる複数方式の光ディスクに対応するような場合に適用しても良い。
【０１１７】
さらに上述した実施の形態においては、ダイクロイックビームスプリッタプレート２８が透過反射面２８Ａを有するプレートとして設けられている場合について述べたが、本発明はこれに限らず、例えば透過反射面２８Ａを有するプリズムとして設けられていても良い。
【０１１８】
さらに上述した実施の形態においては、光ディスク装置１０が光ディスク１００に対し情報の記録及び再生の両方を行い得るようにした場合について述べたが、本発明はこれに限らず、当該光ディスク１００に対して情報の記録のみを行い、又は当該情報の再生のみを行うようにしても良い。また例えば光ディスク装置１０は、例えば光ディスク１００Ｃに対して情報の記録及び再生の両方を行い、光ディスク１００Ｄに対して再生のみを行うようにしても良い。
【０１１９】
さらに上述した実施の形態においては、第１光源としてレーザダイオード３２、第２光源としてレーザダイオード２２、分光合成部としてダイクロイックビームスプリッタプレート２８、光量検出素子としてフロントフォトディテクタ３０、遮断部として波長選択性ビームスプリッタ２６によって本発明の光ピックアップとしての光ピックアップ１６を構成するようにした場合について述べた。しかしながら本発明はこれに限らず、この他種々の構成でなる第１光源、第２光源、分光合成部、光量検出素子、遮断部によって光ピックアップを構成するようにしても良い。
【０１２０】
さらに上述した実施の形態においては、第１光源としてレーザダイオード３２、第２光源としてレーザダイオード２２、分光合成部としてダイクロイックビームスプリッタプレート２８、光量検出素子としてフロントフォトディテクタ３０、遮断部として波長選択性ビームスプリッタ２６、信号処理部として信号処理部１３によって本発明の光ディスク装置としての光ディスク装置１０を構成するようにした場合について述べた。しかしながら本発明はこれに限らず、この他種々の構成でなる第１光源、第２光源、分光合成部、光量検出素子、遮断部、信号処理部によって光ディスク装置を構成するようにしても良い。
【産業上の利用可能性】
【０１２１】
本発明の光ピックアップ及び光ディスク装置は、例えば大容量のデータを記録及び再生し得るに光ディスク装置に利用することができる。
【図面の簡単な説明】
【０１２２】
【図１】従来の光ディスク装置の構成を示す略線図である。
【図２】光ディスク装置の全体構成を示す略線図である。
【図３】光ピックアップの構成を示す略線図である。
【図４】波長選択性ビームスプリッタを省略した光ピックアップの構成を示す略線図である。
【図５】フロントフォトディテクタを分離した光ピックアップの構成を示す略線図である。
【図６】他の実施の形態による光ピックアップの構成を示す略線図である。
【符号の説明】
【０１２３】
１、１６、４０……光ピックアップ、１０……光ディスク装置、１１……制御部、１２……駆動部、１３……信号処理部、１４……スピンドルモータ、１５……スレッドモータ、１７……２軸アクチュエータ、１８、４６……対物レンズ、２１、３１……受発光素子、２２、３２、４１、５１……レーザダイオード、２３、３３……フォトディテクタ、２４、３４……偏光ホログラム、２５、３５……１／４波長偏光板、２６……波長選択性ビームスプリッタ、２７、３６、４２、５２……コリメータレンズ、２８……ダイクロイックビームスプリッタプレート、２９、４５……反射ミラー、３０、４７、５４……フロントフォトディテクタ、４３、５３……ビームスプリッタ、４４……ダイクロイックビームスプリッタ、１００、１００Ｃ、１００Ｄ……光ディスク。
【図１】
2009259367.tif 000003
【図２】
2009259367.tif 000004
【図３】
2009259367.tif 000005
【図４】
2009259367.tif 000006
【図５】
2009259367.tif 000007
【図６】
2009259367.tif 000008